(57)【特許請求の範囲】
【請求項１】
複数枚のガラス板を縦方向及び／又は横方向に隣接配置して壁面が構成されるガラススクリーンであって、
前記ガラススクリーンにおいて非常用進入口が設けられるガラス板が、所定の位置に進入口用開口部が形成された室内側ガラス及び第１の中間膜と、前記進入口用開口部に対応する位置に開口のない室外側ガラスと、前記進入口用開口部と略同一の面形状を有する第２の中間膜及び閉塞用ガラスとからなり、前記室内側ガラスが前記第１の中間膜を介して前記室外側ガラスに接着されるとともに、前記閉塞用ガラスが前記第２の中間膜を介して前記室外側ガラスに接着されることにより、前記閉塞用ガラスで前記室内側ガラスの前記進入口用開口部を閉塞する構成であることを特徴とするガラススクリーン。
【請求項２】
前記室内側ガラスに形成された前記進入口用開口部の周縁部には、該進入口用開口部の断面形状が前記室外側ガラスに向けて先細状となる第１の傾斜面が形成され、前記閉塞用ガラスの周縁部には、前記第１の傾斜面に対向する第２の傾斜面が形成されている請求項１記載のガラススクリーン。
【請求項３】
前記閉塞用ガラスの上部及び下部は、シール材を介して前記室内側ガラスに接着されている請求項１に記載のガラススクリーン。
【請求項４】
所定の位置に進入口用開口部が形成された室内側ガラス及び第１の中間膜と、前記進入口用開口部に対応する位置に開口のない室外側ガラスとを揃え、前記室内側ガラスと前記室外側ガラスとを前記第１の中間膜を介して接着し、
前記室外側ガラスの前記進入口用開口部に対応する位置に接着される第２の中間膜と、前記第２の中間膜に接着されるとともに前記室内側ガラスの前記進入口用開口部を閉塞する閉塞用ガラスとを揃え、前記閉塞用ガラスを前記第２の中間膜を介して前記室外側ガラスに接着することによりガラススクリーンの非常用進入口を構成することを特徴とするガラススクリーン用ガラスの製造方法。
【発明の詳細な説明】
【技術分野】
【０００１】
本発明はガラススクリーン及びガラススクリーン用ガラスの製造方法に係り、特に非常用進入口が形成されたガラススクリーン及びそれに用いるガラスの製造方法に関する。
【背景技術】
【０００２】
ビル等の建築物には、建築基準法施行令第１２６条の６、７の規定に基づいて、非常用の進入口を設けなければならない。非常用の進入口は、建築物の３１ｍ以下の部分で、３階以上の階の外壁に、所定の間隔、所定の大きさの進入口、および足がかりとなるバルコニーを設けることが義務づけられている。しかし、それに替わる窓（代替開口部）が所定の基準どおりに設けられていれば、非常用進入口の設置が免除される。このような、非常用の進入口の代替開口部（本明細書において、単に「非常用進入口」という）とされる構造を有するガラススクリーンが特許文献１に開示されている。このガラススクリーンのガラス構成は、ガラス板の中央部に円形状又は矩形状にくり抜いた非常用進入口となる開口部を有する室内側ガラス及び中間膜と、全面をガラス板とした室外側ガラスとを接着させた合わせガラスであり、非常用進入口を室外側ガラスだけの単板構成としている。
【０００３】
このガラススクリーンによれば、ガラススクリーンのガラス構成を合わせガラスとした場合でも、非常用進入口を室外側ガラスだけの単板構成としたので、外観上見苦しくなく、風圧荷重にも耐えることができるというものである。
【特許文献１】特許第３８６００２７号公報
【発明の開示】
【発明が解決しようとする課題】
【０００４】
しかしながら、特許文献１のガラススクリーンは、全体のガラス構成は遮音性の高い合わせガラスであるものの、非常用進入口にあたる部位が室外側ガラスだけの単板構成なので、遮音性が低下するという欠点があった。
【０００５】
また、室外側ガラスの非常用進入口となる部分には、合わせガラスの中間膜も存在しないので、もしその部分に自然破損が生じた場合、破損したガラス片が室外側に落下する危険性を有していた。
【０００６】
本発明は、このような事情に鑑みてなされたもので、非常用進入口を備えた遮音性の高いガラススクリーン及びガラススクリーン用ガラスの製造方法を提供することを目的とする。
【課題を解決するための手段】
【０００７】
本発明は、前記目的を達成するために、複数枚のガラス板を縦方向及び／又は横方向に隣接配置して壁面が構成されるガラススクリーンであって、前記ガラススクリーンにおいて非常用進入口が設けられるガラス板が、所定の位置に進入口用開口部が形成された室内側ガラス及び第１の中間膜と、前記進入口用開口部に対応する位置に開口のない室外側ガラスと、前記進入口用開口部と略同一の面形状を有する第２の中間膜及び閉塞用ガラスとからなり、前記室内側ガラスが前記第１の中間膜を介して前記室外側ガラスに接着されるとともに、前記閉塞用ガラスが前記第２の中間膜を介して前記室外側ガラスに接着されることにより、前記閉塞用ガラスで前記室内側ガラスの前記進入口用開口部を閉塞する構成であることを特徴とするガラススクリーンを提供する。
【０００８】
また、本発明は、前記目的を達成するために、所定の位置に進入口用開口部が形成された室内側ガラス及び第１の中間膜と、前記進入口用開口部に対応する位置に開口のない室外側ガラスとを揃え、前記室内側ガラスと前記室外側ガラスとを前記第１の中間膜を介して接着し、前記室外側ガラスの前記進入口用開口部に対応する位置に接着される第２の中間膜と、前記第２の中間膜に接着されるとともに前記室内側ガラスの前記進入口用開口部を閉塞する閉塞用ガラスとを揃え、前記閉塞用ガラスを前記第２の中間膜を介して前記室外側ガラスに接着することによりガラススクリーンの非常用進入口を構成することを特徴とするガラススクリーン用ガラスの製造方法を提供する。
【０００９】
本発明のガラススクリーンは、まず、進入口用開口部が形成された室内側ガラス及び第１の中間膜と、進入口用開口部に対応する位置に開口のない室外側ガラスとを揃え、室内側ガラスと室外側ガラスとを第１の中間膜を介して接着することにより、非常用進入口となる部位が室外側ガラスだけの単板構成の合わせガラスを製造する。次に、室外側ガラスの進入口用開口部に対応する位置に接着される第２の中間膜と、第２の中間膜に接着されるとともに室内側ガラスの進入口用開口部を閉塞する閉塞用ガラスとを揃え、閉塞用ガラスを第２の中間膜を介して室外側ガラスに接着することによりガラススクリーンの非常用進入口を構成する。これにより、非常用進入口が設けられたガラス板は、室外側に位置するガラス板が単一の室外側ガラスで構成され、室内側に位置するガラス板がそれぞれ独立した室内側ガラスと閉塞用ガラスとで構成され、室内側ガラスは第１の中間膜を介して、閉塞用ガラスは第２の中間膜を介して、それぞれ室外側ガラスに接着された合わせガラス構成となるため、室外側及び室内側に設けられるガラス板をそれぞれ単一のガラス板とした通常の合わせガラスで構成したガラススクリーンと略同等の遮音性能を得ることができる。したがって、本発明によれば、非常用進入口を備えた遮音性の高いガラススクリーン及びガラススクリーン用ガラスの製造方法を提供することができる。
【００１０】
火災時等の非常事態発生時に、本発明のガラススクリーンにおいて非常用進入口が設けられたガラス板を外部から殴打すると、室外側ガラスが破壊され多数の亀裂が生ずる。しかし、室外側ガラスには室内側ガラス及び閉塞用ガラスが、それぞれ第１の中間膜、第２の中間膜を介して接着されているので、非常用進入口が設けられたガラス板全体が破砕して崩落することはない。ここで、室外側ガラスの進入口用開口部に対応する位置や室内側ガラスと閉塞用ガラスとの境界部付近を外部からさらに殴打することにより、第２の中間膜に接着された室外側ガラスの進入口用開口部に対応する部分と閉塞用ガラスと（以下、「分離合わせガラス」と称する）が、本体のガラス板全体から分離される。分離合わせガラスは、その室外側ガラス部分には亀裂があるものの、閉塞用ガラスとの接着状態が保たれた合わせガラスとしての形態が保持されているので、本体のガラス板全体から分離された際に、建物内部への進入経路や周囲に多数のガラス破砕片が散乱しない。
【００１１】
非常用進入口の形状は円形でも矩形状でもよく、建築基準法施行令第１２６条の６の規定を満たすものであればよい。
【００１２】
また、本発明によれば、前記室内側ガラスに形成された前記進入口用開口部の周縁部には、該進入口用開口部の断面形状が前記室外側ガラスに向けて先細状となる第１の傾斜面が形成され、前記閉塞用ガラスの周縁部には、前記第１の傾斜面に対向する第２の傾斜面が形成されていることが好ましい。
【００１３】
分離合わせガラスが本体のガラス板全体から分離されて脱落しようとすると、室内側ガラスの第１の傾斜面に、分離合わせガラスの閉塞用ガラスの第２の傾斜面が当接するため、分離合わせガラスが室外側へ脱落するのを防止することができる。
【００１４】
更に、本発明によれば、前記閉塞用ガラスの上部及び下部は、シール材を介して前記室内側ガラスに接着されていることが好ましい。
【００１５】
分離合わせガラスが本体のガラス板全体から脱落しようとすると、閉塞用ガラスが上部及び下部の位置で室内側ガラスにシーリング剤（例えば、シリコーン系シーリング剤）により接着されているため、分離合わせガラスが室内側ガラスに保持される。これにより、分離合わせガラスの不意の脱落を防止することができる。
【発明の効果】
【００１６】
本発明によれば、非常用進入口が設けられるガラス板は、室外側に位置するガラス板が単一の室外側ガラスで構成され、室内側に設けられるガラス板がそれぞれ独立した室内側ガラスと閉塞用ガラスとで構成され、室内側ガラスは第１の中間膜を介して、閉塞用ガラスは第２の中間膜を介して、それぞれ室外側ガラスに接着された合わせガラス構成としたので、室外側及び室内側に設けられるガラス板をそれぞれ単一のガラス板とした通常の合わせガラスで構成したガラススクリーンと略同等の遮音性能を得ることができ、よって、非常用進入口を備えた遮音性の高いガラススクリーン及びガラススクリーン用ガラスの製造方法を提供することができる。
【発明を実施するための最良の形態】
【００１７】
以下、添付図面に従って本発明に係るガラススクリーン及びガラススクリーン用ガラスの製造方法の好ましい実施の形態について説明する。
【００１８】
図１は、実施の形態に係るガラススクリーン１０の斜視図が示されている。
【００１９】
このガラススクリーン１０は、矩形状に形成された複数枚のガラス板（本例では、合わせガラス）１２、１２…を縦方向及び横方向に隣接配置することにより構成されたもので、ガラス板１２、１２…の四隅部を支持金具１４、１４…によって連結支持するＤＰＧ（Dot Point Glazing）構法により構成されている。
【００２０】
同図に示すガラススクリーン１０の中央部に位置するガラス板１２Ａの略中央部には、第１の実施の形態の非常用進入口１６が設けられている。
【００２１】
以下、非常用進入口１６を有するガラス板１２Ａのガラス構成、及び製造方法について図２、図３に基づいて説明する。
【００２２】
このガラス板１２Ａは、図２に示すように、所定の位置に円形の進入口用開口部１８が形成された室内側ガラス２０及び第１の中間膜２２と、進入口用開口部１８に対応する位置に開口のない室外側ガラス２４と、進入用開口部１８と略同一の面形状を有する円形の第２の中間膜２６及び閉塞用ガラス２８とからなり、室内側ガラス２０が第１の中間膜２２を介して室外側ガラス２４に接着されるとともに、室外側ガラス２４の進入口用開口部１８に対応する位置に第２の中間膜２６を介して閉塞用ガラス２８が接着されることにより、閉塞用ガラス２８で室内側ガラス２０の進入口用開口部１８を閉塞する構成である。
【００２３】
このガラス板１２Ａの製造方法は、まず、室内側ガラス２０及び第１の中間膜２２と、室外側ガラス２４とを積層して外形を揃え、室内側ガラス２０と室外側ガラス２４とを第１の中間膜２２を介して接着することにより、非常用進入口１６となる部位に室外側ガラス２４だけが存在する単板構成の合わせガラスを製造する。
【００２４】
次に、第２の中間膜２６と閉塞用ガラス２８とを積層して外形を揃え、閉塞用ガラス２８を第２の中間膜２６を介して室外側ガラス２４に接着することにより、ガラススクリーン１０の非常用進入口１６を構成する。
【００２５】
これにより、実施の形態のガラススクリーン１０によれば、非常用進入口１６が設けられたガラス板１２Ａは、室外側に位置するガラス板が単一の室外側ガラス２４で構成され、室内側に位置するガラス板がそれぞれ独立した室内側ガラス２０と閉塞用ガラス２８とで構成され、室内側ガラス２０は第１の中間膜２２を介して、閉塞用ガラス２８は第２の中間膜２６を介して、それぞれ室外側ガラス２４に接着された合わせガラス構成となる。
【００２６】
よって、実施の形態のガラススクリーン１０によれば、非常用進入口１６においても合わせガラス構成であるため、室外側及び室内側に設けられるガラス板をそれぞれ単一のガラス板とした通常の合わせガラスで非常用進入口を有するガラス板を構成したガラススクリーンと略同等の遮音性能を得ることができる。
【００２７】
なお、各ガラスと各中間膜との接着方法は、例えば既知のオートクレーブ法（加熱圧着）により行うことができる。
【００２８】
ところで、ガラススクリーン１０に設けられた非常用進入口１６は、火災時等の非常事態発生時に消防士、救急隊員によって破壊される。このとき、非常用進入口１６を含むガラス板１２Ａの全体が、一枚の中間膜で覆われていると、破壊したガラス破砕片がその中間膜から容易に剥離しないため非常用進入口１６を開口することが困難で、室内に容易に進入することができない。
【００２９】
これに対し、実施の形態のガラススクリーン１０は、非常用進入口１６において、第１の中間膜２２と第２の中間膜２６とが分離されているため、ガラス板１２Ａを外部から殴打して室外側ガラス２４を破壊し、さらに、室外側ガラス２４の進入口用開口部１８に対応する位置や室内側ガラス２０と閉塞用ガラス２８との境界部付近を外部から殴打することにより、非常用進入口１６が破壊され、第２の中間膜２６に接着された室外側ガラス２４の進入口用開口部１８に対応する円形部分２４Ａと閉塞用ガラス２８と（分離合わせガラス）が、本体のガラス板１２Ａから容易に分離される。これにより、非常用進入口１６が簡単に開口され、室内に容易に進入することができる。分離合わせガラスは、その室外側ガラス部分には亀裂があるものの、閉塞用ガラス２８との接着状態が保たれた合わせガラスとしての形態が保持されているので、本体のガラス板１２Ａから分離された際に、建物内部への進入経路や周囲に多数のガラス破砕片が散乱しない。
【００３０】
非常用進入口１６の形状は、実施の形態の如く円形でもよく矩形状でもよい。すなわち、実施の形態では、建築基準法施行例第１２６条の６に規定された非常用進入口（代替開口部）として、直径１ｍ以上の円が壁面に内接した形態である。
【００３１】
図４は、第２の実施の形態の非常用進入口１６を有するガラス板１２Ｂの断面図であり、図１〜図３に示したガラス板１２Ａと同一、又は類似の部材について同一の符号を付して説明する。
【００３２】
このガラス板１２Ｂは、室内側ガラス２０に形成された進入口用開口部１８（図２参照）の周縁部に、進入口用開口部１８の断面形状（室内側ガラス２０の板厚方向）が室外側ガラス２４に向けて先細状となる第１の傾斜面２０Ａが形成され、閉塞用ガラス２８の周縁部には、室内側ガラス２０の傾斜面２０Ａに対向する第２の傾斜面２８Ａが形成されている。これらの傾斜面２０Ａ、２８Ｂを形成することにより、閉塞用ガラス２８の外径Ｄ１が室内側ガラス２０の進入口用開口部１８の内径Ｄ２よりも大径となっている。
【００３３】
すなわち、ガラス板１２Ｂに設けられた非常用進入口１６が破壊されると、前述した分離合わせガラスが本体のガラス板１２Ｂから分離される。このとき、分離合わせガラスが脱落しようとすると、室内側ガラス２０の第１の傾斜面２０Ａに、分離合わせガラスの閉塞用ガラス２８の第２の傾斜面２８Ａが当接するため、その室外側への脱落を防止することができる。
【００３４】
図５は、第３の実施の形態の非常用進入口１６を有するガラス板１２Ｃを室内側から見た正面図であり、図６は、図５に示したガラス板１２ＣのＡ−Ａ線に沿った断面図である。
【００３５】
このガラス板１２Ｃと図１〜図３に示したガラス板１２Ａとの構成の違いは、閉塞用ガラス２８の上部及び下部を、シーリング剤３０、３０を介して室内側ガラス２０に接着した点にある。
【００３６】
すなわち、ガラス板１２Ｃに設けられた非常用進入口１６が破壊されると、分離合わせガラスが本体のガラス板１２Ｃから分離される。このとき、分離合わせガラスが本体のガラス板１２Ｃから脱落しようとすると、閉塞用ガラス２８が上部及び下部の位置で室内側ガラス２０にシーリング剤３０、例えばシリコーン系シーリング剤により接着されているため、分離合わせガラスが室内側ガラス２０に保持される。これにより、分離合わせガラスの不意の脱落を防止することができる。
【００３７】
シーリング剤３０の打設量は、分離合わせガラスを室内側ガラス２０に保持させるに最小限の量でよい。打設量が多過ぎると、非常用進入口１６の開口作業に手間がかかるからである。また、シーリング剤３０による閉塞用ガラス２８の接着位置は上部及び下部に限定されるものではなく、左右の位置で接着することもできる。しかしながら、左右の位置で接着すると、分離合わせガラスが接着位置を支点として回動するため安定して保持することが困難になる。よって、図５の如く接着位置を上部及び下部とすることにより、分離合わせガラスを安定して室内側ガラス２０に保持させることができる。なお、シーリング剤３０は、室外側ガラス２４に接着されても、接着されなくても、いずれでもよい。
【００３８】
一方、非常用進入口１６を破壊する際に、分離合わせガラスを本体のガラス板１２Ａ、１２Ｂ、１２Ｃから容易に分離して非常用進入口１６を開口することが必要であるので、室外側ガラス２４は、強化ガラスであることが好ましい。室外側ガラス２４として強化ガラスを用いた場合、非常時に室外側から破壊可能な板厚を必要とするので、５ｍｍ以下の強化ガラスが望ましい。また、室内側ガラス２０については、耐風圧等の観点から必要とされる強度に応じて強化ガラス、倍強度ガラスのほか、未強化の生板ガラスの何れでもよく、耐風圧等の観点から必要とされる強度に応じて適宜選択することができる。。強化ガラスを選択した場合、特に進入口用開口部１８が形成される室内側ガラス２０においては、進入口用開口部１８を生板ガラスに形成した後、この生板ガラスを強化して室内側ガラス２０を製造すればよい。
【００３９】
また、閉塞用ガラス２８も、室内側ガラス２０と同様に、強化ガラス、倍強度ガラスのほか、未強化の生板ガラスの何れでもよい。
【００４０】
更に、中間膜２２、２６としては、ＰＶＢ（ポリ・ビニル・ブチラール）膜、ＥＶＡ（エチレン−ビニルアセテート共重合体）膜等が上げられる。
【００４１】
ところで、室内側ガラス２０と室外側ガラス２４とを第１の中間膜２２を介して接着した際、第１の中間膜２２が室内側ガラス２０の進入口用開口部１８の周縁部からはみ出した場合、そのはみ出した中間膜は比較的容易に切除できる。一方、第１の中間膜２２を介して室内側ガラス２０が接着された室外側ガラス２４に、第２の中間膜２６を介して閉塞用ガラス２８が接着される。ここで、第２の中間膜２６が閉塞用ガラス２８の縁部からはみ出してしまうと、そのはみ出した第２の中間膜２６がガラススクリーン１０の外観上の見栄えを悪化させるので、第２の中間膜２６の前記はみ出した部分を切除する作業が必要になる。このとき、第２の中間膜２６の切除作業が容易に行えるように、ＥＶＡ膜よりも柔らかいＰＶＢ膜を選択することが好ましい。また、この切除作業は、図３、図４の如く室内側ガラス２０の進入口用開口部１８と閉塞用ガラス２８との間の隙間３２からカッターを挿入することにより実施できるが、作業性の観点から、隙間３２は１０ｍｍ以上とするのが好ましい。
【００４２】
以上、本発明の実施の形態を図面により詳述してきたが、本発明は前記実施の形態に限定されるものではなく、本発明の要旨を逸脱しない範囲での種々の設計変更等が可能である。例えば、本発明のガラススクリーンにおいて、非常用進入口が設けられたガラス板以外のガラス板は、合わせガラスに限定されるものではなく、飛散防止用フィルムを接着した単板のガラス板を使用してもよい。
【図面の簡単な説明】
【００４３】
【図１】第１の実施の形態の非常用進入口を有するガラス板が組み込まれたガラススクリーンの斜視図
【図２】図１に示した非常用進入口を有するガラス板のガラス構成を示した斜視図
【図３】図２に示した非常用進入口を有するガラス板の断面図
【図４】第２の実施の形態の非常用進入口を有するガラス板の断面図
【図５】第３の実施の形態の非常用進入口を有するガラス板を室内側から見た正面図
【図６】図５のガラス板のＡ−Ａ線に沿った断面図
【符号の説明】
【００４４】
１０…ガラススクリーン、１２…ガラス板、１２Ａ、１２Ｂ、１２Ｃ…非常用進入口を有するガラス板、１４…支持金具、１６…非常用進入口、１８…進入口用開口部、２０…室内側ガラス、２２…第１の中間膜、２４…室外側ガラス、２６…第２の中間膜、２８…閉塞用ガラス、３０…シーリング剤、３２…隙間
【図１】
0005224583.tif 000002
【図２】
0005224583.tif 000003
【図３】
0005224583.tif 000004
【図４】
0005224583.tif 000005
【図５】
0005224583.tif 000006
【図６】
0005224583.tif 000007